(57)【要約】      （修正有）【課題】常時乳幼児保育の中で活用され馴染みのある遊具が、地震などの天災の発生時や火災などの緊急時に避難運搬用具として一度に数人を速やかに且つ不安を軽減させて運搬する乳幼児の避難運搬用具の提供。【解決手段】略短形状のマット１００の内側に、乳幼児を座位状態で保持する保持具２００を複数個設け、マット１００の両側縁部に取手２２を複数個設けている。普段はマット１００を丸めて棒状クッション遊具として活用し、天災などの緊急時が発生したら、棒クッション遊具の両面テープを剥がし速やかに広げ、保持具２００に一人一人乳幼児を装着してから二人ないし適数の保育士が取手２２を持ち上げ運搬する避難運搬用具。【選択図】図１
2010125144.tif 000002
【特許請求の範囲】
【請求項１】
略矩形状のマットの内側に、乳幼児を座位状態で保持する保持具を複数個設け、前記マットの両側縁部に把持部を設けたことを特徴とする乳幼児の避難運搬用具。
【請求項２】
前記保持具は、乳幼児の下半身を保持するパンツ部と、一端がマットの側縁部に固定され他端が前記パンツ部に固定され乳幼児の肩部に掛ける肩ベルトと、から構成したことを特徴とする請求項１記載の乳幼児の避難運搬用具。
【請求項３】
前記保持具に保持される乳幼児の頭部がマットの側縁部に位置するように、前記保持具が前記マットに装着されることを特徴とする請求項１記載の乳幼児の避難運搬用具。
【請求項４】
前記保持具の肩ベルトは、マット側に取り付けた第１ベルトと、前記パンツ側に取りつけた第２ベルトから構成し、第１，２ベルトを相互に着脱自在としたことを特徴とする請求項２記載の乳幼児の避難運搬用具。
【発明の詳細な説明】
【技術分野】
【０００１】
本発明は、保育所において地震や火災等の天災時や緊急時に、歩けなかったり、よちよち歩きの乳幼児を一度に複数人速やかに且つ円滑に運搬し避難する乳幼児の避難運搬用具に関する。
【背景技術】
【０００２】
乳幼児の保育室は、家庭的な静かな中で生活させるという環境面と自ら外へ出ていかない、あるいは外部からの侵入を防ぐといった安全面の配慮から、屋内の奥や階上に設けられている所が多い。したがって多くの保育室は避難場所までかなりの距離があるのが現実である。
【０００３】
従来、乳幼児が避難する際、保育士がおんぶや抱っこ、手をつないで歩くことを各自して避難場所まで運んでいる。そのため全員を避難させるのに時間がかかり、全員を避難しきれない状態で最悪の事態を招く恐れがある。
【０００４】
以上のことから歩けないかよちよち歩きの乳幼児を複数人一度に運び出すことのできる運搬用具が求められている。
【０００５】
また経験や理解力に乏しい乳幼児にとって、突然起こる事態に情緒不安定になる子が出ることが予想される。パニックを起こすと、まれにひきつけや嘔吐などを発症する場合もある。今までの避難用具は、人命救助の視点からしか作られておらず、大人に全てを依存するしかない乳幼児の心情や起こりうる体調の異常が予想される以上、不安を軽減させる工夫も同時にするべきである。
【０００６】
尚、本願発明に関連する公知技術として次の特許文献を挙げることができる。
【０００７】
【特許文献１】特開２００１−２５８９４０号公報
【特許文献２】特開２００６−２６３４１７号公報
【発明の開示】
【発明が解決しようとする課題】
【０００８】
上述の如く従来複数の乳幼児を速やかに避難させることが難しく、また乳幼児が情緒不安定になるだろう中避難しなければならない。
【０００９】
本発明はこのような点に鑑みてなされたものであり、その目的は常時保育の中で使われ馴染みのある棒状クッション遊具が、緊急時に避難運搬用具として速やかに且つ不安を軽減させながら運搬することができることである。
【課題を解決するための手段】
【００１０】
上述の目的を達成する本発明の避難運搬用具は、略矩形状のマットの内側に、乳幼児を座位状態で保持する保持具を複数個設け、前記マットの両側縁部に把持部を設けている。
【００１１】
普段から使う中で、ベルトの長さ調節をしておき、体格が特異な子は合わせた保持具の上部のラベル入れに名前を入れておくと早く装着できる。
【００１２】
天災などの緊急時が発生したら、棒状クッション遊具の両面テープを剥がし速やかに広げ、中の保持具に一人一人乳幼児を装着してから二人ないし適数の保育士が取手を持ち上げ運搬することを特徴とする。
【発明の効果】
【００１３】
以上説明したように本発明によれば、避難運搬用具を常に身近に置くことができ、普段から遊びの中で使われているので、避難時に保育士のすることに見通しがつき、不安を軽減させながら速やかに複数の乳幼児を運搬することができる。
【００１４】
この避難運搬用具を使えば、一人一人の乳幼児を保持具に装着するので安定した中で運ぶことができる。
【００１５】
あるいはまたこれを避難場所にて敷物としても利用できる。
【発明を実施するための最良の形態】
【００１６】
以下、本発明避難運搬用具の実施形態を図面に基づき詳細に説明する。
【００１７】
図１〜図６は本発明の形態に係わり、図１はマット１００を広げた時の複数（４個）の保持具２００を取り付けた平面図である。以下保持具２００の構造を説明する。
【００１８】
図１〜図３に示すように、保持具２００は略短形状のマットの１００の内側に複数（４個）設けられおり、その位置はマットの１００の中心線２５から両側にそれぞれ相対して取り付けられている。保持具２００はそれぞれ乳幼児の下半身を保持するパンツ部５０と、一端がマット１００の側縁部に固定され他端がパンツ部５０に固定され乳幼児の肩部に掛ける肩ベルトと、から構成されている。
【００１９】
座位状態の乳幼児の頭部がマット１００の側縁部に位置するようにパンツ部５０をマット１００に装着する。
またパンツ部５０は階段など傾斜のある所で避難運搬中、保持具２００に装着された乳幼児が傾斜により傾いた保持具２００から落下しないように、パンツ部５０の胴周りに伸縮ベルト１３が設けられている。
【００２０】
図３が示すように伸縮ベルト１３はベルト中央がマット１００に縫い付けられており、両端をストッパーで装着することでパンツ部５０がマット１００に固定され保持具２００全体が安定する。また伸縮ベルト１３はそれぞれの乳幼児の胴周りに密着するように伸縮する部材でできている。よって伸縮ベルト１３で保持具２００に固定された乳幼児は、ぐらつかず傾斜のある所での保持具２００からの落下を防ぐ。
【００２１】
伸縮ベルト１３は、パンツ部５０のベルト通し１４に通してからストッパーで着脱する。その着脱構造は車のシートベルトの着脱機構と同様な周知の着脱構造である。
【００２２】
また、図２に示すように、パンツ部５０の両縁部に下半身安定ボタン１９ａと１９ｂ、２０ａと２０ｂを取り付けており、このボタンを図２のように、はずしておけばパンツ部５０を広げることができ、乳幼児を寝かせた状態で装着できる。
【００２３】
肩ベルト１１，１２は、マット１００側に取り付けた左右一対の第１ベルト１１ａ、１２ａとパンツ部５０側に取り付けた左右一対の第２ベルト１１ｂ、１２ｂとからなり、その着脱は伸縮ベルト１３と同じで相互に着脱が自在である。また第２ベルト１１ｂと１２ａにはスポンジなどの弾力部材が入れてある。これは乳幼児の胸部を守るためである。
【００２４】
図４に示すように、第１ベルト１１ａと１２ａはそれぞれの片端がマット１００の側縁部内端部に設けられた丸棒２３に縫い付けられている。
【００２５】
マット１００の側縁部内に２箇所づつ手指が入る取っ手穴２２を設けて把持部としている。取っ手穴２２の上方のマット１００内部には前記丸棒２３が内蔵されていて取っ手穴に手指を入れてにぎる際、丸棒２３もいっしょににぎる。これはマット１００を持ち上げた時の力が丸棒２３に平均にいきわたり運搬中の保持具２００のバランスを保つためである。
【００２６】
保持具２００は、第２ベルトの他にパンツ部５０から延設した背面１７部分に乳幼児の頭部を守るため、スポンジなどの弾力部材と芯板からなる補助部材を入れる。マット１００を棒状クッション遊具として利用するために、マット１００を巻くとき巻きやすいように図２に示すように小分け１７Ａ、１７Ｂ、１７Ｃしてある。
１６はマット１００の内側に取り付けた両面テープであり、保持具２００の背面１７の裏面に設けた両面テープ（図示せず）との接合により保持具２００をマット１００に装着するのである。
【００２７】
マット１００の生地はキルティングや綿などで二重の丈夫なものにし、外側はクッション面になるため肌触りのよい生地にする。保持具２００が取り外せる構造にしてあるため適度に洗うことができる。
【００２８】
マット１００には、両側縁部間の中央部分にクッション帯２１を設けている。これは階段など底をつけて運ぶことがある場合、衝撃をやわらげるためと、マット１００を棒状に巻いて棒状クッション遊具として利用する時に全体を柔らかくするためである。
【００２９】
この避難運搬用具を棒状クッション遊具として使用するにはマット１００の側縁部から中心線２５まで巻いて両面テープ２４でとめる。巻いたときマット１００内部には、図６に示すように丸棒２３が内蔵されており、お座りの補助など用途に合った角度に曲げることができる。
【００３０】
次に本乳幼児避難運搬用具の使用方法を説明する。通常は保持具２００を取り付けたままマット１００を巻いて棒状クッション遊具として保育室に置いてある。
天災などの緊急時が発生したら、両面テープ２４をはがして速やかに広げ、内側の保持具２００に乳幼児を一人一人装着する。装着は保育士がマット１００の両側縁部の下に膝を入れて座り、保持具２００を起こして背後から中に座らせるようにすると取り付けやすい。前もって第１ベルト、第２ベルトの調節がしてあり、下半身安定ボタンン１９ａ、１９ｂ、２０ａ、２０ｂで止めておけば、中に子供を座らせ伸縮ベルト１３をストッパーでとめるだけで装着できる。
【００３１】
保持具２００に乳幼児を装着したらマット１００の両側縁部にそれぞれ保育士が立ち、両手指をマット１００側縁内端部の丸棒２３といっしょに取っ手穴２２をにぎり二人同時に持ち上げ、横歩きで避難場所まで運搬する。狭い通路などで向かいの顔が近づく時は、保育士がずれて歩けば中の保持具２００もずれるのでぶつかることはない。
【００３２】
以上、本発明の形態及び使用方法を説明したが、本発明の範囲はこれに限定されるものではない。例えば保持具２００の数はマット１００の中心線から両側に相対して取り付けられれば両側に２個ずつの計４個に限らず、両側に一個ずつの計２個でも両側に三個ずつの計６個でも可能である。取っ手穴２２の数も保持具の数に合わせて増減も可能である。
【００３３】
また把持部として取っ手穴２２を設けたが、マット両縁部に手指でつかむことのできる持ち輪等を設けて縁部内端部の丸棒と一緒に持ち上げられるようにしても良い。
【００３４】
マット１００の生地はキルティングや綿などで二重にする他、布質が丈夫で乳幼児を保持具に装着して運搬するときの重さに対応できるなら一枚布でも問題はなく、生地も防炎加工が施されたものを使っても良い。
【００３５】
さらに棒状クッション遊具をつくるのに、それぞれの両縁部から中心線まで丸めると説明しているが、片縁部から一つに巻いてバンドなどで固定することもできる。また棒状クッション遊具にカバーやより固定させるためにバンドなど各保育所での使い勝手のいいよう対応できる付属品を用意してもいい。
【図面の簡単な説明】
【００３６】
【図１】マット１００を広げた時の平面図である。
【図２】保持具２００の展開図である。
【図３】保持具２００を取り外した時のマット１００の要部拡大図である。
【図４】マット１００を丸めて棒状遊具にした時の外観斜視図である。
【図５】マット１００を半分丸めた時の外観斜視図である。
【図６】棒状クッション遊具内部の丸棒２３の図である。
【符号の説明】
【００３７】
１１ａ、１２ａ                第１ベルト
１１ｂ、１２ｂ                第２ベルト
１３                          伸縮ベルト
１４                          ベルト通し
１６                          保持具背面両面テープ
１７                          背面
１７Ａ、１７Ｂ、１７Ｃ        芯板
１９ａ、１９ｂ、２０ａ、２０ｂ下半身安定ボタン
２１                          クッション帯
２２                          取っ手穴（把持部）
２３                          丸棒
２４                          棒状遊具をつくる際の両面テープ
２５                          中心線
２６                          名前を入れるラベル入れ  
５０                          パンツ部
１００                        マット
２００                        保持具
【図１】
2010125144.tif 000003
【図２】
2010125144.tif 000004
【図３】
2010125144.tif 000005
【図４】
2010125144.tif 000006
【図５】
2010125144.tif 000007
【図６】
2010125144.tif 000008